(57)【要約】      （修正有）【課題】テーブルや机、壁面などにタブレットＰＣ、スマートフォン、カップホルダーや鉛筆立てなどの様々な物品を掛けることができるようにする物掛け用パネル及びそれを用いた掛け装置を提供する。【解決手段】テーブルや机、壁面などにタブレットＰＣ、スマートフォン、カップホルダーや鉛筆立てなどの様々な物品を掛けることができるようにする物掛け用パネル及びそれを用いた掛け装置１に関するもので、多数個の掛け溝が形成された物掛け用パネル３と、前記物掛け用パネル３を支持するように一定間隔離れて平行に設置されるスタンド５と、前記スタンド５に沿ってスライド可能に固定され、前記物掛け用パネル３をスタンド５に固定するスライド固定部材と、を含んでなる。【選択図】図１
2014036841.tif 000002
【特許請求の範囲】
【請求項１】
中空の四角板状の板体と、
前記板体の上、下面に長手方向に形成された上、下面掛け溝と、
前記板体の前、後面に長手方向に形成された一つ以上の前、後面掛け溝と、からなることを特徴とする、物掛け用パネル。
【請求項２】
前記前、後面掛け溝は、上下の位置がずれるように形成され、前記上、下面及び前、後面掛け溝は、一定の深さを有する溝部と、前記溝部の内側面において互いに対向する方向に突出した二つの顎によって形成された首部と、からなることを特徴とする、請求項１に記載の物掛け用パネル。
【請求項３】
前記板体の内部には、長手方向に一つ以上の中空管が一体に形成されることを特徴とする、請求項１または２に記載の物掛け用パネル。
【請求項４】
前記物掛け用パネルは、壁面に付着して使用することを特徴とする、請求項１または２に記載の物掛け用パネル。
【請求項５】
多数個の掛け溝が形成された物掛け用パネルを含む掛け装置において、
前記物掛け用パネルを支持するように一定間隔離れて平行に設置される二つのスタンドと、
前記スタンドに沿って上下にスライド可能に設置され、前記物掛け用パネルを固定するスライド固定部材と、を含んでなることを特徴とする、物掛け用パネルを用いた掛け装置。
【請求項６】
前記スタンドは、一定間隔離れて設置され、互いに対向する面に前記スライド固定部材を案内するガイド羽根が一体に形成された二つの柱部からなることを特徴とする、請求項５に記載の物掛け用パネルを用いた掛け装置。
【請求項７】
前記スライド固定部材は、前記二つの柱部の間に形成された前記ガイド羽根が挿入されるガイド溝が左右側面に形成され、前記物掛け用パネルの前記掛け溝に挿入される固定板を引っ張って、前記物掛け用パネルを前記スタンドに固定するロック解除部材を含んでなることを特徴とする、請求項６に記載の物掛け用パネルを用いた掛け装置。
【請求項８】
前記スライド固定部材は、前記ガイド羽根との摩擦力を増大させて前記スライド固定部材を固定する弾性摩擦部材をさらに含むことを特徴とする、請求項７に記載の物掛け用パネルを用いた掛け装置。
【請求項９】
前記スライド固定部材は、前記柱部に一列に形成された固定溝に挿入されて前記スライド固定部材を固定するボールプランジャーをさらに含むことを特徴とする、請求項８に記載の物掛け用パネルを用いた掛け装置。
【請求項１０】
前記ロック解除部材は、前記掛け溝に挿入された前記固定板と、前記固定板を前記スライド固定部材側に引っ張って、前記物掛け用パネルを前記スタンドに固定するカム回動部材と、を含んでなることを特徴とする、請求項７に記載の物掛け用パネルを用いた掛け装置。
【請求項１１】
前記カム回動部材は、前記ガイド羽根と接触されるカムワッシャと、前記固定板に連結され、前記カムワッシャを貫通する固定棒と、前記固定棒の後端に回転可能に設置され、前記カムワッシャを加圧するカム面が形成されたカムと、前記カムの一側に突出するように設置されたレバーと、を含んでなることを特徴とする、請求項１０に記載の物掛け用パネルを用いた掛け装置。
【請求項１２】
前記固定棒の外周面には、前記カムワッシャと前記固定板との間に位置するように加圧スプリングが設置されて、前記固定棒に沿って移動可能に設置された前記固定板を先端側に常に加圧することを特徴とする、請求項１１に記載の物掛け用パネルを用いた掛け装置。
【請求項１３】
前記弾性摩擦部材は、前記ガイド羽根と接触する摩擦部材と、前記摩擦部材を常に加圧するように設置された板スプリングと、を含んでなることを特徴とする、請求項８に記載の物掛け用パネルを用いた掛け装置。
【請求項１４】
前記ボールプランジャーは、前記固定溝に挿入されるボールと、前記ボールを固定する固定ピンと、前記固定ピンを加圧するスプリングと、前記固定ピン及びスプリングを収納する円筒形ケースと、からなることを特徴とする、請求項９に記載の物掛け用パネルを用いた掛け装置。
【請求項１５】
前記物掛け用パネルは、
中空の四角板状の板体と、
前記板体の上、下面に長手方向に形成された上、下面掛け溝と、
前記板体の前、後面に長手方向に形成された一つ以上の前、後面掛け溝と、からなることを特徴とする、請求項５ないし１４のいずれかに記載の物掛け用パネルを用いた掛け装置。
【請求項１６】
前記前、後面掛け溝は、上下の位置がずれるように形成され、前記上、下面及び前、後面掛け溝は、一定の深さを有する溝部と、前記溝部の内側面において互いに対向する方向に突出した二つの顎によって形成された首部と、からなることを特徴とする、請求項１５に記載の物掛け用パネルを用いた掛け装置。
【請求項１７】
前記物掛け用パネルには、各種物品を掛けたり、据え付けるための物掛け用ブラケットがさらに設置されることを特徴とする、請求項１６に記載の物掛け用パネルを用いた掛け装置。
【請求項１８】
前記物掛け用ブラケットは、
前記物掛け用パネルに密着される一定の大きさの固定プレートと、
前記固定プレートの上端に一体に形成され、前記物掛け用パネルに上下に一定間隔離れて形成された二つの掛け溝において上部の掛け溝に挿入され、∩字状に曲がった固定部と、
前記物掛け用パネルに形成された前記二つの掛け溝において下部に位置する掛け溝に挿入されるフックと、
前記フックを上下に回動させて、前記物掛け用ブラケットを前記物掛け用パネルに固定または解除するフック回動部材と、を含んでなることを特徴とする、請求項１７に記載の物掛け用パネルを用いた掛け装置。
【請求項１９】
前記フック回動部材は、
前記フックの後端から延びるフックバーと、
前記フックバーを上下に回動可能に支持する中心軸と、
前記中心軸の後方から前記フックバーを常に下方に加圧する弾性部材と、
前記フックバーの後端に設置された取っ手と、を含んでなることを特徴とする、請求項１８に記載の物掛け用パネルを用いた掛け装置。
【請求項２０】
前記スライド固定部材は、プラスチック素材からなり、両側面に長手方向に前記ガイド溝が形成された本体を含んでなり、
前記本体の中心には、前記ロック解除部材が設置される第１装着空間が、前記ガイド溝と連通するように形成され、
前記第１装着空間の上部には、前記弾性摩擦部材が設置される第２装着空間が、前記ガイド溝と連通するように形成され、
前記第１装着空間の下部には、前記ボールプランジャーが設置される第３装着空間が、前記板体の長手方向と直交するように左右に形成されることを特徴とする、請求項９に記載の物掛け用パネルを用いた掛け装置。
【発明の詳細な説明】
【技術分野】
【０００１】
本発明は、机や壁面などにタブレットＰＣ、スマートフォン、カップホルダーや鉛筆立てなどの様々な物品を掛けたり、据え付けることができるようにする物掛け用パネル及びそれを用いた掛け装置に関する。
【背景技術】
【０００２】
通常、家庭や事務室では生活用品や事務用品などの各種物品を壁面に掛けて保管している。また、最近には、コンピュータ使用の一般化に伴ってテーブルの空間が狭くなり、そのため、モニターなどを壁面やパーティションに付着したり、掛けたりして事務空間を広げるための努力が続けられてきた。
【０００３】
また、商品を販売する商店や展示場には、商品を壁に掛けて展示することによって購買力と宣伝効果を増大できるので、商品の陳列のための掛け装置の重要性が一層要求されている。
【０００４】
しかし、従来は、家庭や展示場で壁面に釘を打ち込み、その釘に衣服用ハンガーやその他の物掛けを用いて商品を陳列するため、装飾効果を得ることができないだけでなく、多くの商品を陳列できなかった。また、壁面がそのまま露出して美観が美麗でないという短所があった。
【０００５】
これによって、従来は、壁面に合板からなる物掛けパネル１００を付着する技術が開示されている。すなわち、図２０に示されたように、従来は、前記物掛けパネル１００に一定の間隔を置いて長手方向に多数個の掛け溝１０１が形成され、この掛け溝１０１に物品を掛けることができるフック１１０を設置した。このとき、物掛けパネル１００は、掛け溝１０１を通じて壁面にピースなどの締結具１２０で固定される。
【０００６】
しかし、従来の物掛けパネル１００は、一つの合板で構成されているため、壁面の幅及び必要な空間に合わない場合には、それに合わせて切断して使用しなければならないという面倒さがあり、物掛けパネル１００が大きくて広く形成されているため、物掛けパネル１００自体の重量が重くなり、物掛けパネル１００が壁面から落ちやすいという問題点と、これによって物掛けパネル１００に多くの商品を掛けることができないため、陳列効率が低下するという問題点があった。
【０００７】
また、最近には、モニターをパーティションに付着して机の事務空間を広げるための試みがあった。このような技術の一つとして、特許文献１に開示された‘モニター掛け用パーティション’は、図２１に示されたように、パーティションの前面に横方向にガイドレール３０を設置し、このガイドレール３０に結合されて左右方向にスライドされるスライダー４５の前方にスリム型液晶モニター５を装着できるようにしている。
【０００８】
しかし、従来の技術は、モニターを安定的に固定できないため、モニターが落ちて損傷する虞があった。また、ガイドレール３０を設置及び分離するのが難しいだけでなく、前記ガイドレール３０に物品を掛けたり、分離することも容易ではないという問題があった。また、モニターなどを付着するために、机やテーブルの周囲にパーティションを備えなければならないため、自由に空間を活用できず、事務空間が狭くなるという問題点があった。
【先行技術文献】
【特許文献】
【０００９】
【特許文献１】大韓民国登録実用新案第２０−０２５９６１７号
【発明の概要】
【発明が解決しようとする課題】
【００１０】
本発明は、このような従来技術の問題点を解決するためのもので、本発明の主な目的は、テーブルや机または壁面などに付着して、タブレットＰＣ、スマートフォン、カップホルダーや鉛筆立てなどの様々な物品を掛けたり、据え付けることができる物掛け用パネルを提供することにある。
【００１１】
本発明の他の目的は、軽くて且つ耐久性が良く、外観がすっきりした素材からなり、前後及び上下の形態が同一であるので、どの方向でも使用することができ、使用者の必要に応じて、長手方向に連結したり、上下に多数設置して使用することができる物掛け用パネルを提供することにある。
【００１２】
本発明の他の目的は、テーブルや机に立てたり、壁面に付着した状態で、物掛け用パネルを上下に移動させることができ、物品を容易に固定したり分離することができる物掛け用パネルを用いた掛け装置を提供することにある。
【００１３】
本発明の更に他の目的は、物掛け用パネルが机や壁面から落ちたり、物掛け用パネルに付着された物品が落ちたり損傷することを防止することができる物掛け用パネルを用いた掛け装置を提供することにある。
【課題を解決するための手段】
【００１４】
本発明の目的を達成するための手段として、本発明に係る物掛け用パネルは、中空の四角板状の板体と、前記板体の上、下面に長手方向に形成された上、下面掛け溝と、前記板体の前、後面に長手方向に形成された一つ以上の前、後面掛け溝と、からなる。
【００１５】
本発明において、前記前、後面掛け溝は、上下の位置がずれるように形成され、前記上、下面及び前、後面掛け溝は、一定の深さを有する溝部と、前記溝部の内側面において互いに対向する方向に突出した二つの顎によって形成された首部と、からなる。
【００１６】
そして、前記板体の内部には、長手方向に一つ以上の中空管が一体に形成される。したがって、前記中空管を用いて物掛け用パネルを長手方向に連結することができる。また、前記物掛け用パネルは、壁面に付着したり、テーブルや机に垂直に立てて使用することを特徴とする。
【００１７】
次に、本発明に係る物掛け用パネルを用いた掛け装置は、多数個の掛け溝が形成された物掛け用パネルを含む掛け装置において、前記物掛け用パネルを支持するように一定間隔離れて平行に設置される二つのスタンドと、前記スタンドに沿って上下にスライド可能に設置され、前記物掛け用パネルを固定するスライド固定部材と、を含んでなる。
【００１８】
本発明において、前記スタンドは、テーブルや机に一定間隔離れて設置され、互いに対向する面に前記スライド固定部材を案内するガイド羽根が一体に形成された二つの柱部を含んでなる。
【００１９】
前記スライド固定部材は、前記二つの柱部の間に形成されたガイド羽根が挿入されるガイド溝が左右側面に形成され、前記物掛け用パネルの掛け溝に挿入される固定板を引っ張って、前記物掛け用パネルをスタンドに固定するロック解除部材を含んでなる。
【００２０】
前記スライド固定部材は、前記ガイド羽根との摩擦力を増大させて前記スライド固定部材を固定する弾性摩擦部材をさらに含む。
【００２１】
前記スライド固定部材は、前記柱部に一列に形成された固定溝に挿入されて前記スライド固定部材を固定するボールプランジャーをさらに含む。
【００２２】
前記ロック解除部材は、前記掛け溝に挿入された固定板と、前記固定板を前記スライド固定部材側に引っ張って、前記物掛け用パネルをスタンドに固定するカム回動部材と、を含んでなる。
【００２３】
前記カム回動部材は、前記ガイド羽根と接触されるカムワッシャと、前記固定板に連結され、前記カムワッシャを貫通する固定棒と、前記固定棒の後端に回転可能に設置され、前記カムワッシャを加圧するカム面が形成されたカムと、前記カムの一側に突出するように設置されたレバーと、を含んでなる。
【００２４】
前記固定棒の外周面には、カムワッシャと固定板との間に位置するように加圧スプリングが設置されて、前記固定棒に沿って移動可能に設置された固定板を先端側に常に加圧することを特徴とする。
【００２５】
前記弾性摩擦部材は、前記ガイド羽根と接触する摩擦部材と、前記摩擦部材を常に加圧するように設置された板スプリングと、を含んでなる。
【００２６】
前記ボールプランジャーは、前記固定溝に挿入されるボールと、前記ボールを固定する固定ピンと、前記固定ピンを加圧するスプリングと、前記固定ピン及びスプリングを収納する円筒形ケースと、からなる。
【００２７】
本発明において、前記物掛け用パネルは、中空の四角板状の板体と、前記板体の上、下面に長手方向に形成された上、下面掛け溝と、前記板体の前、後面に長手方向に形成された一つ以上の前、後面掛け溝と、からなる。
【００２８】
前記物掛け用パネルには、各種物品を掛けたり、据え付けるための物掛け用ブラケットがさらに設置される。前記物掛け用ブラケットは、前記物掛け用パネルに密着される一定の大きさの固定プレートと、前記固定プレートの上端に一体に形成され、前記物掛け用パネルに上下に一定間隔離れて形成された二つの掛け溝において上部の掛け溝に挿入され、∩字状に曲がった固定部と、前記物掛け用パネルに形成された二つの掛け溝において下部に位置する掛け溝に挿入されるフックと、前記フックを上下に回動させて、前記物掛け用ブラケットを前記物掛け用パネルに固定または解除するフック回動部材と、を含んでなる。
【００２９】
そして、前記フック回動部材は、前記フックの後端から延びるフックバーと、前記フックバーを上下に回動可能に支持する中心軸と、前記中心軸の後方から前記フックバーを常に下方に加圧する弾性部材と、前記フックバーの後端に設置された取っ手と、を含んでなる。
【発明の効果】
【００３０】
本発明に係る物掛け用パネルは、テーブルや机または壁面などに付着したり立てて、タブレットＰＣ、スマートフォン、カップホルダーや鉛筆立てなどの様々な物品を掛けたり、据え付けることができる。
【００３１】
また、本発明の物掛け用パネルは、軽くて且つ耐久性が良く、外観がすっきりした素材からなり、前後及び上下の形態が同一であるので、どの方向でも使用が可能であり、使用者の必要に応じて、長手方向に連結したり、上下に多数配列して使用することができるので、使用が便利である。
【００３２】
また、本発明に係る物掛け用パネルを用いた掛け装置は、テーブルや机に立てたり、壁面に付着した状態で物掛け用パネルを上下に移動させることができ、物品を容易に固定したり分離することができる。
【００３３】
また、本発明は、３重の安全装置が備えられることで、物掛け用パネルが自由落下することを防止し、物掛け用パネルに付着された物品が落ちたり損傷することを防止することができる。
【００３４】
本発明はまた、モニターと各種事務用品を、テーブルに立てられている物掛け用パネルに掛けたり、据え付けて保管できるので、机などが空間を広く使用することができて、空間の活用度が良くなる。
【００３５】
また、本発明は、物品の大きさに関係なく設置することができ、誰でも容易に組み立てて使用することができ、掛け装置に付着されたモニターを上下に移動させることができ、モニターと使用者との間の距離を自由に調節できるので、事務環境を大きく改善することができる。
【００３６】
また、本発明に係る物掛け用パネルは、壁面に設置して装飾効果を得たり、机に設置してパーティションの効果を得ることができるだけでなく、コンピュータの配線や電話線などの電線を物掛け用パネルに固定して、机の周辺をきれいに整理することができる効果がある。
【図面の簡単な説明】
【００３７】
【図１】本発明に係る物掛け用パネルを用いた掛け装置を示す正面図である。
【図２】図１に示された物掛け用パネルを用いた掛け装置を示す背面図である。
【図３】本発明に係る物掛け用パネルの構造を示す斜視図である。
【図４】本発明に係るスタンドの構造を示す分解斜視図である。
【図５】本発明に係るスライド固定部材を示す斜視図である。
【図６】図５に示されたスライド固定部材の内部構造を示す分解斜視図である。
【図７】図５に示されたスライド固定部材の作用を示す断面図及び拡大図である。
【図８】本発明に係るボールプランジャーの一例を示す斜視図である。
【図９】本発明に係る物掛け用ブラケットを示す側面図である。
【図１０】図９に示された物掛け用ブラケットの断面図である。
【図１１】本発明に係る物掛け用ブラケットの他の例を示す断面図である。
【図１２】本発明に係る物掛け用パネルを用いた掛け装置の実施例を示す斜視図である。
【図１３】本発明に係る物掛け用パネルを用いた掛け装置の実施例を示す正面図である。
【図１４】本発明に係る物掛け用パネルを用いた掛け装置の実施例を示す背面図である。
【図１５】本発明に係る物掛け用パネルを用いた掛け装置の実施例を示す平面図である。
【図１６】本発明に係る物掛け用パネルを用いた掛け装置の実施例を示す側面図である。
【図１７】本発明に係る物掛け用パネルを用いた掛け装置の実施例を示す作用説明図である。
【図１８】本発明に係る物掛け用パネルを用いた掛け装置の他の実施例を示す側面図である。
【図１９】本発明に係る物掛け用パネルを用いた掛け装置の他の実施例を示す側面図である。
【図２０】従来技術に係る物掛け用パネル及び掛け装置を示す斜視図である。
【図２１】従来技術に係る物掛け用パネル及び掛け装置を示す斜視図である。
【発明を実施するための形態】
【００３８】
まず、本発明の具体的な説明に先立ち、本発明に関連する公知の技術または構成に関する具体的な説明が本発明の要旨を曖昧にする虞があると判断される場合には、その詳細な説明は省略する。
【００３９】
また、後述される用語は、本発明での機能を考慮して定義された用語であって、これは、使用者、運用者の意図または慣例などによって変わることができるので、その定義は、本発明に係る物掛け用パネル及び事務環境の改善のための掛け装置を説明する本明細書全般にわたる内容に基づいて下さなければならない。
【００４０】
以下、添付の図面を参照して、本発明に係る物掛け用パネル及びそれを用いた掛け装置について詳細に説明する。
【００４１】
図１及び図２は、本発明に係る物掛け用パネル３を用いた掛け装置１の好ましい実施例を示す。図示のように、本発明の物掛け用パネル３を用いた掛け装置１は、物掛け用パネル３と、前記物掛け用パネル３を支持できるように設置された二つのスタンド５と、前記スタンド５に前記物掛け用パネル３を固定するスライド固定部材７と、からなる。
【００４２】
前記物掛け用パネル３は、多数個の掛け溝３０が形成された四角の板からなる。前記物掛け用パネル３は、掛け溝３０を用いて、タブレットＰＣ、スマートフォン、カップホルダーや鉛筆立てなどの様々な物品を掛けることができる。
【００４３】
図３を参照すると、前記物掛け用パネル３は、長手方向に多数個の掛け溝３０（１３１，１３２，１３３，１３４）が形成された四角の板であって、中空状のパネルからなる。好ましくは、物掛け用パネル３は、アルミニウム合金を押出成形してなる。そして、物掛け用パネル３の内部には、長手方向に多数個の中空管１３６が形成される。中空管１３６は、物掛け用パネル３の強度を強化し、二つの物掛け用パネル３を長手方向に連結する際に、図示していない連結棒を挿入することができる。
【００４４】
具体的に、前記物掛け用パネル３は、幅が狭く、長さは長く、厚さは薄い板状からなる板体３１と、前記板体３１に形成された多数個の掛け溝３０と、からなる。すなわち、前記の掛け溝３０は、前記板体３１の上面と下面に一つずつ形成された上面掛け溝１３１、下面掛け溝１３２、そして、前記板体３１の前面と後面に形成された前面掛け溝１３３と後面掛け溝１３４からなる。好ましくは、前記前面掛け溝１３３と後面掛け溝１３４は、一つ以上多数形成することができる。
【００４５】
前記上面掛け溝１３１、下面掛け溝１３２、前面掛け溝１３３、及び後面掛け溝１３４は、全て板体３１の長手方向に平行に形成される。そして、前記板体３１の前面と後面に形成される前面掛け溝１３３と後面掛け溝１３４は、上下の位置がずれるように形成される。すなわち、同一の高さに前面掛け溝１３３と後面掛け溝１３４とが互いに重畳しないようにして、厚さを最小化する。そして、本発明の物掛け用パネル３は、前面と後面だけでなく、上面と下面にも掛け溝３０を形成することによって、前後及び上下を区分せずに使用することができる。未説明符号３９は、物掛け用パネル３の両端に設置される保護キャップである。
【００４６】
より具体的に、前記板体３１に形成された掛け溝３０は、溝部３５と首部３８からなる。前記溝部３５は、一定の深さで形成された四角の溝であって、前記板体３１の長手方向に延びる。前記溝部３５には、後述する固定板などの各種物品を固定することができる。前記溝部３５に挿入された物品は長手方向に移動させることができる、すなわち、溝部３５に固定された物品は、必要に応じて水平方向に移動させることができる。そして、前記首部３８は、溝部３５の内側面において互いに対向する方向に突出する二つの顎部３７によって形成される。前記首部３８は、溝部３５に比べて幅が狭くなるので、前記溝部３５に挿入された固定板などが離脱できないようにする。
【００４７】
上記のような本発明の物掛け用パネル３は、壁に付着したり、机やテーブル上に立てて使用することができる。本発明の物掛け用パネル３を壁面などに付着するための別途の固定手段が必要である。また、テーブル上に立てるためにも別途のスタンドが必要である。物掛け用パネル３を壁面に固定するための固定手段は、当該分野において広く知られているものであるので、詳細な説明を省略する。
【００４８】
以下では、物掛け用パネル３を机やテーブル上に立てて固定するためのスタンドを含む掛け装置１について説明する。再び図１及び図２を参照すると、本発明に係る掛け装置１は、多数個の掛け溝３０が長手方向に平行に形成された物掛け用パネル３と、前記物掛け用パネル３をテーブル上に立てて固定するための（または壁面に付着するための）スタンド５とを含んでなる。しかし、物掛け用パネル３を壁面に固定したり、テーブル上に立てて固定するスタンドの構成は多様に変形可能であるので、物掛け用パネル３を固定するためのスタンドが、図示の例に限定されるものではないことを明らかにしておく。
【００４９】
図１を参照すると、本発明に係るスタンド５は、一定の間隔を置いて垂直に平行に設置された二つの柱部５１からなる。好ましくは、前記柱部５１は、アルミニウム合金を押出成形してなされた中空状の四角の管である。
【００５０】
一方、図４を参照すると、前記柱部５１（５１ａ，５１ｂ）は、互いに対向する面にガイド羽根５２（５２ａ，５２ｂ）がそれぞれ一体に形成されている。前記ガイド羽根５２は、柱部５１の中心に形成され、上下に延びる。前記対向する二つのガイド羽根５２の間は、後述するスライド固定部材７の本体７１が挿入可能なように一定間隔離れている。
【００５１】
また、前記二つの柱部５１からなるスタンド５の上端と下端には、二つの柱部５１が一定間隔を維持するようにする固定キャップ５３（５３ａ，５３ｂ）がそれぞれ設置される。前記固定キャップ５３には、柱部５１の端部が挿入される二つの挿入溝５４が形成されて、二つの柱部５１を固定する。
【００５２】
そして、前記スタンド５には、物掛け用パネル３を固定するためのスライド固定部材７が設置される。前記スライド固定部材７は、前記スタンド５の二つの柱部５１の間に上下に移動可能に設置されて、物掛け用パネル３を固定する役割を果たす。
【００５３】
前記スライド固定部材７は、図５乃至図７に示すように、二つの柱部５１に形成されたガイド羽根５２が挿入されるガイド溝７２が左右両側面に形成された本体７１を含む。前記ガイド溝７２は、本体７１の両側面の中心に形成されて長手方向に延びる。
【００５４】
前記本体７１は、プラスチック射出物からなり、内部には互いに異なる形態からなる多数個の装着空間１８１，１８２，１８３，１８４が形成される。例えば、図７に示すように、第１装着空間１８１は前記本体７１の中心に形成され、第２装着空間１８２は本体７１の上端部に形成され、第３装着空間１８３は本体７１の下端部に、第４装着空間１８４は本体７１の下面部にそれぞれ形成される。好ましくは、これら装着空間は、本体７１を射出成形する際に共に形成される。
【００５５】
そして、前記第１装着空間１８１にはロック解除部材７６が設置され、第２装着空間１８２には弾性摩擦部材７８が設置され、第３装着空間１８３にはボールプランジャー７９が設置され、第４装着空間１８４には支持プレート７７が設置される。
【００５６】
より具体的に、前記本体７１に一体に形成された第１装着空間１８１は、上部が開放され、下部は前記本体７１に形成されたガイド溝７２と連通するように開放される。そして、前記第１装着空間１８１に設置されるロック解除部材７６は、物掛け用パネル３の掛け溝３０に挿入された後述する固定板７４をスタンド５側に引っ張ることで、前記物掛け用パネル３をスタンド５に固定する。
【００５７】
そのために、前記ロック解除部材７６は、掛け溝３０に挿入される固定板７４と、前記固定板７４をスライド固定部材７側に引っ張って、物掛け用パネル３をスタンド５に密着させて固定するカム回動部材７５と、からなる。
【００５８】
前記カム回動部材７５は、ガイド溝７２に挿入されたガイド羽根５２の側面と接触するカムワッシャ７５１と、前記固定板７４と連結され、カムワッシャ７５１を貫通する固定棒７５２と、前記固定棒７５２の上端に回転可能に設置され、前記カムワッシャ７５１を加圧するカム面７５３が形成されたカム７５４と、前記カム７５４の一側に突出するように設置されたレバー７５５と、からなる。このとき、前記カム７５４は回転軸７５６に偏心するように設置される。
【００５９】
前記カム７５４は、偏心カムであって、レバー７５５を下に下げると、固定棒７５２を上側に引っ張ることで、固定板７４をスライド固定部材７側に引っ張るように作用する。逆に、前記レバー７５５を上げると、固定棒７５２が自由になり、固定棒７５２に設置されている固定板７４が、後述する圧縮スプリング７５７の弾性力によって固定棒７５２の先端側に移動するようにする。
【００６０】
すなわち、カム回動部材７５のレバー７５５を下に引っ張ると、固定板７４が掛け溝３０の内側面に密着されて、物掛け用パネル３をスタンド５に固定すると共に、前記スライド固定部材７をスタンド５に密着させて固定する。逆に、前記レバー７５５を上に上げると、固定板７４が掛け溝３０の側面から離れて、物掛け用パネル３をスタンド５から分離させることができ、前記スライド固定部材７は上下に移動させることができるようになる。
【００６１】
このとき、前記圧縮スプリング７５７は、カムワッシャ７５１と固定板７４との間に位置するように固定棒７５２の外周面に設置されて、前記固定板７４を常に先端側に加圧する。したがって、前記圧縮スプリング７５７は常に固定板７４を加圧するので、前記固定棒７５２がカムワッシャ７５１から遠ざかると、固定板７４を先端側に押し出すようになる。そして、前記固定棒７５２の先端には、固定板７４の離脱を防止するための段付き部７５８がさらに形成される。
【００６２】
したがって、前記レバー７５５を上に上げて解除すると、固定板７４が固定棒７５２の先端側に位置して、固定板７４と本体７１の下面との間に一定の間隔が形成されるので、固定板７４を物掛け用パネル３の掛け溝３０に挿入するのが容易になる。このとき、前記第４装着空間１８４に設置された支持プレート７７は、本体７１と類似の大きさを有する金属板からなって、本体７１の強度を高めると共に、前記物掛け用パネル３との結合力を良くする。
【００６３】
次に、前記第２装着空間１８２は、上部は閉鎖され、左、右側面は開放され、下部は前記ガイド溝７２と連通するように形成される。前記第２装着空間１８２には、前記ガイド溝７２に挿入されたガイド羽根５２と接触する摩擦部材７８１が設置される。前記摩擦部材７８１は、ガイド羽根５２との摩擦力を増大させて、前記スライド固定部材７を固定する役割を果たす。
【００６４】
再び図５乃至図８を参照すると、前記弾性摩擦部材７８は、前記第２装着空間１８２内で上下に移動可能に設置され、前記柱部５１のガイド羽根５２と接触するブロック状の摩擦部材７８１と、前記摩擦部材７８１の上面を加圧するように第２装着空間１８２内に設置された板スプリング７８２と、からなる。
【００６５】
前記摩擦部材７８１は、プラスチック射出物からなり、側面には第２装着空間１８２から離脱することを防止するための係止突起７８３が形成される。前記板スプリング７８２は、前記第２装着空間１８２に円弧状に曲がるように装着されて、前記摩擦部材７８１を、ガイド溝７２に挿入されているガイド羽根５２の方向に加圧する。
【００６６】
本発明の弾性摩擦部材７８は、前記ロック解除部材７６が解除された状態でも、前記スライド固定部材７がスタンド５から離脱することを防止する。すなわち、前記板スプリング７８２の弾性力によって前記摩擦部材７８１がガイド羽根５２の側面に密着されるので、前記ロック解除部材７６が解除されても、前記スライド固定部材７が自由落下することを防止する。これは、前記スライド固定部材７の機能を行うのに非常に重要なことであり、使用者がスライド固定部材７を解除した状態で物掛け用パネル３を設置したり、上下に移動させることができるようにする。
【００６７】
次に、前記第３装着空間１８３は、本体７１の両側面に円筒形に形成される。そして、第３装着空間１８３には、前記柱部５１の側面に一列に一定間隔で形成された固定溝５６に挿入されるボールプランジャー７９が設置される。
【００６８】
前記ボールプランジャー７９は、図８に示すように、前記固定溝５６に挿入される球状のボール７９１と、前記ボール７９１を固定する固定ピン７９２と、前記固定ピン７９２を加圧するスプリング７９３と、前記固定ピン７９２及びスプリング７９３を収納する円筒形ケース７９４と、からなる。すなわち、前記円筒形ケース７９４は前記第３装着空間１８３に緊密に結合する。
【００６９】
したがって、前記固定ピン７９２の先端に設置されたボール７９１が一定の位置に形成された固定溝５６に挿入されると、前記スライド固定部材７をその位置に停止させることができる。また、使用者が強制的に前記スライド固定部材７を上下に移動させると、前記ボール７９１が固定溝５６を通りながら一定の音を出すようになる。前記ボールプランジャー７９は、物掛け用パネル３が自由落下することを防止すると共に、スライド固定部材７の上下位置を決定するのに助けになる。
【００７０】
上述したように、本発明に係る物掛け用パネル３を用いた掛け装置１は、壁面や机などに設置して、タブレットＰＣ、スマートフォン、カップホルダーや鉛筆立てなどの様々な物品を掛けることができる。また、生活用品や事務用品などの各種物品を掛けて保管または展示することができる。また、使用者は、物掛け用パネル３を上下に複数設置したり、長手方向に複数連結して、その大きさを自由に調節することができる。
【００７１】
また、本発明の物掛け用パネル３は、前、後面の形態が同一であるので、前後及び上下を区分せずに使用することができ、板状からなっているので、壁面や机の縁部に複数設置する場合、装飾壁やパーティションの役割も行うことができる。
【００７２】
次に、図９及び図１０を参照して、本発明に係る物掛け用ブラケット９の一例を説明する。物掛け用ブラケット９は、物掛け用パネル３の前面や後面に設置されて、各種物品を掛けることができるようにする。前記物掛け用ブラケット９は、物掛け用パネル３と物品との間に設置されて、物掛け用パネル３に物品を装着または収納できるようにする。しかし、物掛け用パネル３に物品を掛けたり、据え付けるための手段は様々な形態があり得るので、本発明に係る掛け装置１の物掛け用ブラケットが後述する形態に限定されるものではない。
【００７３】
図示のように、前記の物掛け用ブラケット９は、物掛け用パネル３の前面に着脱可能に設置されるもので、前記物掛け用ブラケット９の後面には、物掛け用パネル３の掛け溝３０に挿入される固定部９２とフック９４が形成され、前面には、物品を固定または収納するための固定ブラケットや収納容器が設置される。
【００７４】
より具体的に、前記物掛け用ブラケット９は、前記物掛け用パネル３の前面や後面に密着される一定の大きさの固定プレート９１と、前記固定プレート９１の上端に形成され、前記物掛け用パネル３の上面に形成された掛け溝３０（１３１）に挿入される∩字状に曲がった固定部９２と、前記固定プレート９１の下端に上下に回動可能に設置され、前記物掛け用パネル３の前面に形成された掛け溝３０（１３３）に挿入されるフック９４と、前記フック９４を上下に回動させて掛け溝３０（１３３）に固定または解除するフック回動部材９６と、からなる。
【００７５】
前記フック回動部材９６は、前記固定プレート９１の前面下端に結合するケース部材９３の内部に設置される。前記ケース部材９３は、プラスチック射出物からなり、前記フック回動部材９６を設置するための設置空間１９１が設けられている。
【００７６】
前記フック回動部材９６は、フック９４の後端から延びるフックバー９７と、前記フックバー９７の中心部を回転可能に支持する中心軸９８と、前記中心軸９８の後方に設置されて、前記フックバー９７を加圧するスプリング部材９９と、前記フックバー９７の後端に設置されて、フックバー９７を上下に回動させる取っ手９５と、からなる。
【００７７】
したがって、前記取っ手９５を下方向に押すと、前記フックバー９７がレバー作用をして前記中心軸９８を中心に回動するので、前記フック９４が上昇する。逆に、取っ手９５を持ち上げると、前記フック９４が下降する。このとき、前記フック９４の先端は下方に曲がっているので、前記フック９４が下降すると、前記フック９４が掛け溝３０の首部３８に係止されて、物掛け用ブラケット９が物掛け用パネル３に堅固に固定される。反対に、前記フック９４が上昇すると、フック９４の先端が掛け溝３０の首部３８から容易に離脱できるので、物掛け用ブラケット９を物掛け用パネル３から分離させたり、水平方向に移動させることができる。
【００７８】
このように、本発明に係る物掛け用ブラケット９は、固定プレート９１の上端に形成された固定部９２と前記固定プレート９１の下端に形成されたフック９４が、物掛け用パネル３に上下に一定距離離れて形成された二つの掛け溝３０、例えば、上面掛け溝１３１と前面掛け溝１３３に固定されるので、コンピュータ用のモニターのように重い物品も安定的に固定することができる。特に、前記固定部９２には、側方向に突出して掛け溝３０の首部３８に係止される係止突起１９２がさらに形成されることで、より安定的に固定することができる。
【００７９】
一方、前記固定プレート９１の前面上端には、物品を固定または収納するための様々な形態の固定ブラケットや収納容器を設置することができる。例えば、図９に示すように、前記固定プレート９１の前面には、後述するモニター回動アーム２１を固定するための固定ブラケット１９３を設置することができる。また、前記固定プレート９１の前面上端には、カップを保管するためのカップホルダー、筆記具を保管するための鉛筆立て、またはメモ帳を保管するためのメモ帳保管箱などの様々な機構を付着することができる。
【００８０】
次に、図１１は、本発明に係る物掛け用ブラケット９の他の実施例を示すもので、上述した物掛け用ブラケット９と類似しており、単に、前記フックバー９７の後端に中心軸９８が設置され、前記中心軸９８の前方に、前記フックバー９７を下部に加圧するスプリング部材９９が設置される点が異なる。本実施例に係る構成は、前述した実施例と同一であるので、これについての詳細な説明を省略する。
【００８１】
以下では、本発明の掛け装置１を用いてモニターを設置する場合について説明する。まず、図１２乃至図１６に示すように、一定距離離れて、二つのスタンド５がテーブルの上板に垂直に設置される。
【００８２】
前記二つのスタンド５間には、本発明に係る物掛け用パネル３が水平方向に設置される。このとき、物掛け用パネル３は、前記スタンド５に設置されたスライド固定部材７によって固定される。
【００８３】
すなわち、物掛け用パネル３は、長手方向に多数個の掛け溝３０（１３１，１３２，１３３，１３４）が形成された金属板であって、その長さは１ｍで、幅は２０ｃｍで、厚さは２ｃｍ程度である。前記物掛け用パネル３は、上面と下面、そして前面と背面にそれぞれ掛け溝３０が形成される。そして、掛け溝３０は、一定の大きさの溝部３５と首部３８からなる。
【００８４】
前記スタンド５は、テーブルの上板の縁部に垂直に設置される。前記スタンド５は、二つの柱部５１（５１ａ，５１ｂ）からなり、二つの柱部５１の間にはガイド羽根５２が形成される。前記スタンド５の上部には上部固定キャップ５３ａが設置され、下部には下部固定キャップ５３ｂが設置される。
【００８５】
このとき、前記下部固定キャップ５３ｂの下面には、前記スタンド５をテーブルの上板に固定するためのクランプ装置５５が設置される。前記クランプ装置５５は、コ字状のブラケットと調節ボルトとからなる。このようなクランプ装置５５は、当該分野において広く使用されるもので、詳細な説明は省略する。
【００８６】
そして、前記二つの柱部５１の間にはスライド固定部材７が設置される。前記スライド固定部材７には、二つの柱部５１に形成されたガイド羽根５２が挿入されるガイド溝７２が形成される。前記スライド固定部材７は、スタンド５の上端や下端を通じて結合し、前記ガイド羽根５２に沿って上下に移動することができる。
【００８７】
前記スライド固定部材７には、ロック解除部材７６、弾性摩擦部材７８、及びボールプランジャー７９が設置される。前記ロック解除部材７６は、物掛け用パネル３の背面に形成された後面掛け溝１３４に挿入される固定板７４と、前記ガイド羽根５２と密着されるカムワッシャ７５１と、前記固定板７４に固定され、前記カムワッシャ７５１を貫通する固定棒７５２と、前記固定棒７５２の外周面に設置されて前記固定板７４を加圧する圧縮スプリング７５７と、前記固定棒７５２の後端に回転可能に設置され、前記カムワッシャ７５１を加圧及び解除するカム面７５３が形成されたカム７５４と、前記カム７５４の一側に突出するように設置されたレバー７５５と、からなる。
【００８８】
したがって、レバー７５５を下に下げると、カム７５４のカム面７５３がカムワッシャ７５１を加圧し、カムワッシャ７５１がガイド溝７２側に移動して、前記ガイド溝７２に挿入されているガイド羽根５２を加圧して、前記スライド固定部材７をスタンド５に固定する。反対に、前記レバー７５５を上に上げると、カム７５４のカム面７５３がカムワッシャ７５１を加圧せずに、前記圧縮スプリング７５７がカムワッシャ７５１を上部に押し上げるので、前記カムワッシャ７５１が上部側に移動して前記ガイド羽根５２から離れるようになる。したがって、この状態では、前記スライド固定部材７が前記ガイド羽根５２に沿って上下に移動することができる。
【００８９】
したがって、前記レバー７５５を上に上げて、二つのスタンド５に設置された二つのスライド固定部材７の上下位置を定めた後、前記スライド固定部材７の固定板７４が物掛け用パネル３の後面掛け溝１３４に挿入されるようにする。その後、レバー７５５を下に下げると、固定棒７５２が固定板７４をスタンド５側に強く引っ張ることで、前記固定板７４が後面掛け溝１３４の内壁に密着され、物掛け用パネル３の後面がスタンド５の前面に密着されると共に、カムワッシャ７５１がガイド羽根５２と密着されて、前記スライド固定部材７及び物掛け用パネル３を同時に固定するようになる。
【００９０】
一方、前記弾性摩擦部材７８は、前記ガイド羽根５２と密着される摩擦部材７８１と、前記摩擦部材７８１をガイド羽根５２側に加圧する板スプリング７８２とからなって、前記スライド固定部材７が自由落下することを防止し、前記スライド固定部材７を任意の位置に停止させることができるようにする。
【００９１】
そして、前記ボールプランジャー７９は、ボール７９１と、前記ボールを加圧するスプリング７９３とを含んでなり、前記柱部５１の側面に一定間隔で形成された固定溝５６に挿入されるようにすることで、前記スライド固定部材７が自由落下することを防止し、二つのスライド固定部材７の高さを一致させて、物掛け用パネル３を水平に設置することが容易になるようにする。
【００９２】
次に、前記スライド固定部材７を用いて物掛け用パネル３をスタンド５に固定した後、物掛け用パネル３の前面に物掛け用ブラケット９を装着して、モニター２を装着できるようにする。すなわち、物掛け用ブラケット９は、物掛け用パネル３の前面に密着される固定プレート９１と、前記固定プレート９１の上端に形成された固定部９２と、前記固定プレート９１の下端部に設置されるフック９４と、前記フック９４を上下に回動させるフック回動部材９６と、からなる。
【００９３】
したがって、物掛け用ブラケット９の固定部９２を物掛け用パネル３の上面に形成された上面掛け溝１３１に挿入した状態で、前記フック９４を物掛け用パネル３の前面に形成された前面掛け溝１３３に挿入すると、前記フック９４が前面掛け溝１３３の首部３８に係止されて離脱しなくなり、同時に、前記物掛け用ブラケット９が物掛け用パネル３に固定される。反対に、物掛け用ブラケット９を物掛け用パネル３から分離または移動させる時には、フック回動部材９６の取っ手９５を下に下げて、前記フック９４が前面掛け溝１３３の首部３８から離脱できるようにする。
【００９４】
このように、物掛け用パネル３の前面に物掛け用ブラケット９が固定されると、前記物掛け用ブラケット９の上端部に形成された固定ブラケット１９３にモニター回動アーム２１を設置することによって、モニター２を容易に据え付けることがきる。このように、本発明に係る掛け装置１は、物掛け用パネル３、スタンド５、物掛け用ブラケット９、固定ブラケット１９３、及びモニター回動アーム２１を通じてモニター２を掛け装置１に据え付けることによって、テーブル上の事務空間を確保することができる。そして、図１７に示すように、前記モニター回動アーム２１を畳んだり、伸ばしたりすることで、モニター２と使用者との間の距離を調節したり、モニターの画面角を自由に調節することができる。
【００９５】
次に、図１８及び図１９は、本発明に係る掛け装置１を設置する他の実施例を示す。すなわち、図１８に示すように、本発明に係る掛け装置１は、Ｌ字状のブラケット５０２を使用して壁面Ｗに固定することができる。また、図１９に示すように、本発明に係る物掛け用パネル３は、スタンド５を使用せずに、壁面Ｗに固定された固定ピン５０１を用いて固定することができる。このとき、前記固定ピン５０１は、物掛け用パネル３の後面に形成された後面掛け溝１３４に固定される。
【００９６】
また、本発明に係る掛け装置１は、様々な形態の物掛け用ブラケット９と固定ブラケット１９３を用いて、カップを保管するためのカップホルダーや筆記具を保管するための鉛筆立て、またはメモ帳を保管するためのメモ帳保管箱、植木鉢掛け装置、ＬＥＤスタンド、額縁など、使用者の必要に応じて様々な物品を掛けたり、据え付けて保管することができる。なお、本発明に係る物掛け用パネル３を上下及び左右に連結して設置すると、装飾壁や仕切りとして活用することができる。また、本発明の物掛け用パネル３を商店や展示場の壁や天井に設置して、各種商品を装飾的に、また審美感を感じるように陳列することができる。
【００９７】
以上は、本発明によって具現可能な好ましい実施例の一部について説明したものに過ぎないので、周知のように、本発明の範囲は上記の実施例に限定して解釈してはならず、上述した本発明の技術的思想とその均等物は全て本発明の範囲に含まれるものと解さねばならない。
【符号の説明】
【００９８】
１    掛け装置
３    物掛け用パネル
５    スタンド
７    スライド固定部材
９    物掛け用ブラケット
３０    掛け溝
３１    板体
３５    溝部
３７    顎部（顎）
３８    首部
５１，５１ａ，５１ｂ    柱部
５２，５２ａ，５２ｂ    ガイド羽根
５３    固定キャップ
５６    固定溝
７１    本体
７２    ガイド溝
７４    固定板
７５    カム回動部材
７６    ロック解除部材
７７    支持プレート
７８    弾性摩擦部材
７９    ボールプランジャー
９１    固定プレート
９２    固定部
９３    ケース部材
９４    フック
９５    取っ手
９６    フック回動部材
９７    フックバー
９８    中心軸
９９    スプリング部材（弾性部材）
１３１    上面掛け溝（掛け溝）
１３２    下面掛け溝（掛け溝）
１３３    前面掛け溝（掛け溝）
１３４    後面掛け溝（掛け溝）
１３６    中空管
１８１    第１装着空間
１８２    第２装着空間
１８３    第３装着空間
１８４    第４装着空間
１９１    設置空間
１９２    係止突起
７５１    カムワッシャ
７５２    固定棒
７５３    カム面
７５４    カム
７５５    レバー
７５６    回転軸
７５７    圧縮スプリング（加圧スプリング）
７８１    摩擦部材
７８２    板スプリング
７８３    係止突起
７９１    ボール
７９２    固定ピン
７９３    スプリング
７９４    円筒形ケース
Ｗ    壁面
【図１】
2014036841.tif 000003
【図２】
2014036841.tif 000004
【図３】
2014036841.tif 000005
【図４】
2014036841.tif 000006
【図５】
2014036841.tif 000007
【図６】
2014036841.tif 000008
【図７】
2014036841.tif 000009
【図８】
2014036841.tif 000010
【図９】
2014036841.tif 000011
【図１０】
2014036841.tif 000012
【図１１】
2014036841.tif 000013
【図１２】
2014036841.tif 000014
【図１３】
2014036841.tif 000015
【図１４】
2014036841.tif 000016
【図１５】
2014036841.tif 000017
【図１６】
2014036841.tif 000018
【図１７】
2014036841.tif 000019
【図１８】
2014036841.tif 000020
【図１９】
2014036841.tif 000021
【図２０】
2014036841.tif 000022
【図２１】
2014036841.tif 000023